(57)【要約】  清掃用具の様々な実施形態が開示される。清掃用具は、清掃面とインターフェースするように構成された作用面を有することができる。本清掃用具は、第１の材料及び第２の材料を含むことができる。第１の材料は、清掃用具の作用面の少なくとも一部分を含む表面上に接着剤を有する目の粗い嵩高な構造を有することができる。第１の材料は、ゴミを収集するように構成されている。第２の材料は、第１の材料に結合することができ、清掃面から液体を吸着するように構成された吸着構造を有することができる。
2019514586.tif 000002
【特許請求の範囲】
【請求項１】
清掃面とインターフェースするように構成された作用面を有する清掃用具であって、
前記清掃用具の前記作用面の少なくとも一部分を含む表面上に接着剤を有する目の粗い嵩高な構造を有する第１の材料であって、ゴミを収集するように構成された、第１の材料と、
前記第１の材料に結合された第２の材料であって、前記清掃面から液体を吸着するように構成された吸着剤構造を有する第２の材料と、を備える、清掃用具。
【請求項２】
前記第１の材料は不織布層を構成し、前記不織布層は、
ウェブ構造を有する複数の繊維を含み、
前記接着剤は液体の存在下又は不在下で粘着性である物質を備え、前記接着剤は前記複数の繊維の１つ以上の表面上に存在する、請求項１に記載の清掃用具。
【請求項３】
前記第１の材料及び前記第２の材料のうちの少なくとも一方は、前記作用面を前記清掃面に適合させるために弾性的に圧縮可能である、請求項１に記載の清掃用具。
【請求項４】
前記第２の材料が前記作用面の第２の部分を形成し前記清掃面に接触することを可能にするように、前記第１の材料が弾性的に圧縮可能である、請求項３に記載の清掃用具。
【請求項５】
清掃用具は、細長い第１の縁及び細長い第２の縁を有し、前記第１の材料と前記第２の材料とは、前記細長い第１の縁及び前記細長い第２の縁の一方又は両方に沿って結合されている、請求項１に記載の清掃用具。
【請求項６】
前記第１の材料上の前記接着剤によって形成された接着剤ボンド、第２の接着剤によって形成された接着剤ボンド、超音波溶接及び伝熱ボンドのうちの少なくとも１つによって、前記第２の材料が前記第１の材料に結合されている、請求項１に記載の清掃用具。
【請求項７】
前記第２の材料は、第２の材料１グラム当たり約５グラムの流体の吸着から第２の材料１グラム当たり約５０グラムの流体の吸着の間の吸着能力を有する、請求項１に記載の清掃用具。
【請求項８】
前記第１の材料及び前記第２の材料は、前記第１の材料の前記表面が前記清掃面に配置されるように構成された状態かつ前記第２の材料が前記第１の材料によって前記清掃面から間隔を空けられた状態である重層化層を含む、請求項１に記載の清掃用具。
【請求項９】
前記清掃用具の前記作用面は、前記第２の材料によって形成された第２の表面を含む、請求項１に記載の清掃用具。
【請求項１０】
前記清掃用具は細長い第１の縁及び細長い第２の縁を有し、前記第１の材料は、前記細長い第１の縁及び前記細長い第２の縁の一方又は両方において、かつ前記細長い第１の縁及び前記細長い第２の縁の一方又は両方に隣接して前記作用面を含むように、第２の材料に対して配置される、請求項９に記載の清掃用具。
【請求項１１】
前記清掃用具は細長い第１の縁及び細長い第２の縁を有し、前記第１の材料は、前記細長い第１の縁及び前記細長い第２の縁に対してある角度で配置された、間隔の空いた複数のストリップを含む、請求項９に記載の清掃用具。
【請求項１２】
前記第１の材料及び前記第２の材料の一方又は両方に結合された第３の材料を更に備え、前記第３の材料は、シール層、カバーシート、スクリム及び研磨剤のうちの１つ以上を含む、請求項１に記載の清掃用具。
【請求項１３】
前記第２の材料は、洗浄液を含浸し、前記作用面が前記清掃面と接触する際に前記洗浄液を放出するように構成されている、請求項１に記載の清掃用具。
【請求項１４】
清掃面とインターフェースするように構成された作用面を有する清掃用具であって、
繊維ウェブの表面上に接着剤を有する、目の粗い嵩高な構造を有する繊維ウェブであって、前記表面は前記清掃用具の前記作用面の少なくとも一部分を含み、前記繊維ウェブはゴミを収集するように構成された、繊維ウェブと、
前記繊維ウェブに結合され、前記清掃面から液体を吸着するように構成された吸着材と、を備える、清掃用具。
【請求項１５】
前記繊維ウェブは不織布層を含み、前記接着剤は、液体の存在又は不在下で粘着性である物質を備える、請求項１４に記載の清掃用具。
【請求項１６】
前記吸着材が前記作用面の第２の部分を形成し前記清掃面に接触することを可能にするように、前記吸着材及び前記繊維ウェブのうちの少なくとも一方が弾性的に圧縮可能である、請求項１４に記載の清掃用具。
【請求項１７】
清掃用具は細長い第１の縁及び細長い第２の縁を有し、前記繊維ウェブと前記吸着材とは、前記清掃用具の細長い第１の縁及び細長い第２の縁の一方又は両方に沿って結合されている、請求項１４に記載の清掃用具。
【請求項１８】
前記繊維ウェブ及び前記吸着材は、前記繊維ウェブの前記表面が前記清掃面に配置されるように構成された状態かつ前記吸着材が前記繊維ウェブによって前記清掃面から間隔を空けられた状態である重層化層を含み、前記液体が前記繊維ウェブを通過する、請求項１４に記載の清掃用具。
【請求項１９】
前記清掃用具の前記作用面は、前記吸着材によって形成された第２の表面を含む、請求項１４に記載の清掃用具。
【請求項２０】
前記繊維ウェブ及び前記吸着材の一方又は両方に結合された第３の材料を更に含み、前記第３の材料は、シール層、カバーシート、スクリム及び研磨剤のうちの１つ以上を含む、請求項１４に記載の清掃用具。
【請求項２１】
前記繊維ウェブの第１の部分は、前記吸着材の細長い第１の縁を包み込み、前記繊維ウェブの前記第１の部分が前記作用面と前記作用面の反対側の面との両方に隣接するように、かつ前記繊維ウェブの前記第１の部分の折り畳まれた縁が前記吸着材の前記細長い第１の縁を越えて延びるようにし、前記繊維ウェブの第２の部分は、前記吸着材の細長い第２の縁を包み込み、前記繊維ウェブの前記第２の部分が前記作用面と前記作用面の反対側の面との両方に隣接するように、かつ前記繊維ウェブの前記第１の部分の折り畳まれた縁が前記吸着材の前記細長い第２の縁を越えて延びるようにする、請求項１４に記載の清掃用具。
【請求項２２】
前記繊維ウェブの前記第１の部分の前記折り畳まれた縁は、前記吸着材の前記細長い第１の縁を２５ｍｍの距離だけ越えて延びている、請求項２１に記載の清掃用具。
【請求項２３】
前記繊維ウェブの第１の部分は前記吸着材の細長い第１の縁に固定され、前記繊維ウェブの第１の部分が、前記細長い第１の縁に沿って前記吸着材に重なり、前記細長い第１の縁を越えて延びるようにし、前記繊維ウェブの第２の部分は前記吸着材の細長い第２の縁に固定され、前記繊維ウェブの前記第２の部分が、前記細長い第２の縁に沿って前記吸着材に重なり、前記細長い第２の縁を越えて延びるようにし、前記繊維ウェブの第１の部分は前記繊維ウェブの第２の部分から物理的に離れている、請求項１４に記載の清掃用具。
【請求項２４】
表面を清掃するためのシステムであって、
前記システムは、清掃装置に表裏両面使用可能に取り付けるように構成された第１の用具を備え、前記用具は、
少なくとも一部分が第１の材料によって形成された第１の作用面であって、前記第１の材料は前記第１の材料の表面に接着剤を有する目の粗い嵩高な構造を有する、第１の作用面と、
少なくとも一部分が前記第１の材料又は別の材料のいずれか一方によって形成された第２の作用面と、
前記第１の作用面と前記第２の作用面との間に挟まれ、前記第１の材料と結合するように構成された吸着材と、を備える、システム。
【請求項２５】
前記別の材料は、シール層、カバーシート、スクリム及び研磨剤のうちの１つ以上を含み、前記別の材料は、前記第１の材料とは反対の表面上で前記吸着材と結合するように構成されている、請求項２４に記載のシステム。
【請求項２６】
複数の用具を更に備え、各用具は互いに異なる構成を有する一方で、それぞれ、少なくとも前記第１の材料、及び前記第１の作用面と前記第２の作用面との間に挟まれた前記吸着材を依然として有する、請求項２４に記載のシステム。
【発明の詳細な説明】
【技術分野】
【０００１】
この文書は、概して、清掃用具並びに関連するシステム及び方法に関するが、それらに限定するものではない。より具体的には、この文書は、モップ又はダスタなどの清掃器具用の清掃媒体を含む用具に関するが、それらに限定するものではない。
【背景技術】
【０００２】
硬質表面、特に床などの硬質面の乾式除塵をするための清掃装置が知られている。同様に、床などの硬質面を液体（例えば、洗浄溶液）で清掃するためのモップなどの清掃装置もまた知られている。しかし、清掃手順は、典型的には、専用の第１の道具を使用して、まず（例えば、掃く及び／又は除塵することによって）ゴミを寄せ集めることによる。次いで、第２のステップにおいて湿式モップなどの専用の第２の道具を使用して、清掃プロセスを完了させることができる。湿式モップは、相当量のゴミを収集する能力がないため、この２段階のプロセスが利用される。
【０００３】
概要
本発明者らは、とりわけ、ゴミを収集し、湿式清掃を達成する（例えば、水分を吸い上げ及び／又は放出して、その後清掃面と接触した際に洗浄溶液などの洗浄液を吸い上げることによって）両方の能力を有する単一の道具を利用して、清掃プロセスを単一のプロセスに単純化できることに気付いた。
【０００４】
本発明者らは、モップ又は別の種類の清掃装置用の清掃媒体を形成することができる清掃用具を開発した。開示された清掃用具は、目の粗い嵩高な構造を有する第１の材料であって、表面上に接着剤を有して、又はその構造に接着剤を含浸させて、ゴミを収集する、第１の材料を有することができる。清掃用具はまた、第１の材料に結合された第２の材料を有することができる。第２の材料は、（吸収又は吸着のいずれかによって）液体を吸着するように構成された吸着構造を有することができる。このために、本発明者らは、単一の用具のみを利用して清掃面の湿式（液体吸着）及び乾式（ゴミ収集）の組み合わせ清掃を達成するための複数の実施形態を開発した。一実施形態によれば、第１の材料は、その表面に接着剤を有する１つ以上の不織布層とすることができる。更なる実施形態によれば、第１の材料は、繊維状接着剤スプレ、接着剤のパターン化コーティングなどからの接着特性を有することができる。
【０００５】
一実施形態では、本清掃用具は、清掃面とインターフェースするように構成された作用面を有することができる。本清掃用具は、第１の材料及び第２の材料を含むことができる。第１の材料は、清掃用具の作用面の少なくとも一部分を含む表面上に接着剤を有する目の粗い嵩高な構造を有することができる。第１の材料は、ゴミを収集するように構成されている。第２の材料は、第１の材料に結合することができ、清掃面から液体を吸着するように構成された吸着構造を有することができる。
【０００６】
本開示のいくつかの態様によれば、第１の材料は、ウェブ構造を有する複数の繊維と、液体（例えば、水及び／又は油）の存在下又は不在下で粘着性である物質を備えることができる接着剤とを含むことができる。この接着剤は、複数の繊維のうちの１つ以上の表面上に存在し得る。第１の材料及び第２の材料のうちの少なくとも一方は、清掃用具の作用面を清掃面に適合させるために弾性的に圧縮可能とすることができる。いくつかの実施形態では、第２の材料が作用面の第２の部分を形成し清掃面に接触することを可能にするように、第１の材料は弾性的に圧縮可能とすることができる。第１の材料及び第２の材料は、第１の材料の表面が清掃面に配置されるように構成された状態かつ第２の材料が第１の材料によって清掃面から間隔を空けられた状態である重層化層を含むことができる。他の実施形態によれば、本清掃用具の作用面は、第２の材料によって形成された第２の表面を含むことができる（例えば、第１の材料及び第２の材料を合体させることができ、又は第２の材料が露出して作用面の少なくとも一部分（又は全て）を含むように、第１の材料が作用面の全領域より小さい領域を覆うことができる）。
【０００７】
別の実施形態では、本清掃用具は、清掃面とインターフェースするように構成することができる作用面を有することができる。本清掃用具は、繊維ウェブ及び吸着材を含むことができる。繊維ウェブは、表面上及び繊維ウェブ体積上に接着剤を有する目の粗い嵩高な構造を有することができる。この表面は、本清掃用具の作用面の少なくとも一部分を含むことができ、繊維ウェブはゴミを収集するように構成することができる。吸着材は、繊維ウェブに結合することができ、清掃面から液体を吸着するように構成することができる。
【０００８】
更に別の実施形態では、表面を清掃するためのシステムが開示される。本システムは、清掃装置に表裏両面使用可能に取り付けるように構成された用具を含むことができ、この用具は、少なくとも一部分が第１の材料によって形成された第１の作用面と、少なくとも一部分が第１の材料又は別の材料のいずれか一方によって形成された第２の作用面と、第１の作用面と第２の作用面との間に挟まれた吸着材とを有する。第１の材料は、その表面に接着剤を有する目の粗い嵩高な構造を有することができる。第１の材料は、ゴミを収集するように構成することができ、また吸着材に結合するように構成することができる。別の材料を利用する場合には、別の材料は、シール層、カバーシート、スクリム、及び研磨剤のうちの１つ以上を含むことができる。別の材料は、第１の材料とは反対の表面上で吸着材と結合するように構成することができる。更なる実施形態によれば、本システムは複数の用具を備えることができ、本システムの各用具は互いに異なる構成を有し得る一方で、少なくとも第１の材料、及び第１の作用面と第２の作用面との間に挟まれた吸着材を依然として有する。例えば、複数の用具のそれぞれについての第１の材料は、第１の作用面を形成する部分において異なるサイズ又は形状にすることができる。
【０００９】
この概要は、本特許出願の主題の概要を提供することが意図されている。本発明の専門的又は網羅的説明を提供することは意図されていない。詳細な説明は、本特許出願に関する更なる情報を提供するために含まれる。
【図面の簡単な説明】
【００１０】
【図１】本開示の一実施形態による、清掃面の湿式清掃及び乾式清掃の両方を達成するための清掃用具を利用したモップの斜視図である。
【図２】本開示の一実施形態による清掃用具を示す図１のモップの平面図である。
【図２Ａ】本開示の一実施形態による清掃用具の第１の材料を示す図２の清掃用具の拡大図である。
【図２Ｂ】線２Ｂ−２Ｂに沿って取られた、図２Ａの第１の材料の一部分の拡大断面図である。
【図３】モップの一部分であり、第１の材料及び第２の材料を含む清掃用具の一実施形態の斜視図である。
【図３Ａ】モップの一部分であり、第１の材料及び第２の材料を含む清掃用具の一実施形態の斜視図である。
【図４】本開示の一実施形態による清掃用具の斜視図であり、この実施形態において、第１の材料は、本用具の前縁及び後縁に対して実質的に横断する方向に向けられた複数の間隔を空けられたストリップを含む。
【図５】本開示の一実施形態による清掃用具の斜視図であり、この実施形態において、第１の材料は、本用具の前縁及び後縁に対して斜めに向けられた複数の間隔を空けられたストリップを構成する。
【図６】本開示の一実施形態による清掃用具の斜視図であり、この実施形態において、本用具は、第１の作用面を形成する第１の材料と、任意で第２の作用面を形成する第１の材料とを含む。
【図７】本開示の一実施形態による清掃用具の斜視図であり、この実施形態において、本用具は、任意で片面又は両面上で、本用具の前縁及び後縁において、かつこれらの縁に隣接して配置された第１の材料を含む。
【図８】図７による清掃用具の斜視図であるが、任意で片面又は両面上に、第２の材料に加えて第３の材料を更に含む。
【図９】本開示の一実施形態による清掃用具の斜視図であり、この実施形態において、本用具は、本用具の前縁及び後縁から間隔を空けて配置された第１の材料を含み、任意の第３の材料は、本用具の前縁及び後縁において、かつこれらの縁に隣接して、配置される（概して整列される）。
【図１０】図４による清掃用具の斜視図であり、清掃用具の第２の反対側の面に任意で配置された間隔を空けられたストリップを含む第１の材料を更に含み、第１の作用面の少なくとも一部分を形成する第１の材料から第２の作用面の少なくとも一部分を形成する。
【図１１】本開示の一実施形態による清掃用具の斜視図であり、この実施形態において、本用具は、本用具の第１の作用面を形成する第１の材料を含み、任意の第３の材料は、第１の作用面の反対にある本用具の第２の作用面を形成する。
【図１２】本開示の一実施形態による清掃用具の斜視図であり、この実施形態において、本用具は、第１の作用面の別種の領域を構成する第１の材料を含み、これらの別種の領域は、本用具の第１の作用面の残りの部分を形成する任意の第３の材料内に配置される。
【図１３】本開示の一実施形態による清掃用具の斜視図であり、この実施形態において、本用具は、第２の材料の片面上で、第２の材料の前縁及び後縁に重なり、これらの縁に固定されている第１の材料の２つの領域を含む。
【図１４】本開示の一実施形態による清掃用具の斜視図であり、この実施形態において、本用具は、第２の材料の両面上で、本用具の前縁及び後縁に配置され、これらの縁を越えて延びる第１の材料を含む。
【図１５】本開示の一実施形態による清掃用具の分解断面図であり、この実施形態において、本用具は、第２の材料の２つの部分の間に折り畳まれて固定された第１の材料を含む。
【図１６】本開示の一実施形態による清掃用具の分解断面図であり、この実施形態において、本用具は、第２の材料の２つの部分の前縁及び後縁に配置され、これらの縁が延びる第１の材料を含む。
【図１７】本発明の一実施形態による清掃用具の分解断面図であり、この実施形態において、本用具は、第２の材料の前縁及び後縁を越えて延びる第１の材料を含む。本用具は、本用具の両外側主表面上に第３の材料を更に含む。
【図１８】実施例３の試験用コースの概略図である。
【００１１】
図面は必ずしも原寸に比例して描かれていないが、図面における同様の符号は、異なる図における類似の構成要素を記述し得る。異なる接尾文字を有する同様の符号は、類似の構成要素の異なる事例を表し得る。図面は、例として、限定を目的とすることなく、本文書において議論される様々な実施形態を一般的に示す。
【発明を実施するための形態】
【００１２】
本開示は、概して、単一の用具を利用して清掃面の湿式（液体吸着）及び乾式（ゴミ収集）組み合わせ清掃を達成するための清掃用具並びに関連するシステム及び方法に関する。このように、本開示は、概して、ゴミを収集するための第１の嵩高な材料と、液体を吸着するための第２の吸着材とを利用することができる用具に関する。
【００１３】
いくつかの例示的実施形態によれば、本用具は、第１の材料を含むことができる。第１の材料は、清掃用具の作用面の少なくとも一部分を含む表面上に接着剤を有する目の粗い嵩高な構造を有することができる。いくつかの実施形態によれば、第１の材料は、表面上に接着剤を有する、又は接着剤がその体積にわたって分散している、１つ以上の不織布層とすることができる。いくつかの実施形態では、第１の材料は、ウェブ構造を有する複数の繊維と、液体（例えば、水及び／又は油）の存在下又は不在下で粘着性である物質を備えることができる接着剤とを含むことができ、この接着剤は複数の繊維の１つ以上の表面上に存在し得る。更なる実施形態によれば、第１の材料は、繊維状接着剤スプレ、パターンコーティング接着剤などの接着剤を含むことができる。いくつかの実施形態による第１の材料を含み得る例示的な材料は、参照によりその全体が本明細書に組み込まれる米国特許第７，５６０，３９８号に記載されている。
【００１４】
本清掃用具は、第２の材料（本明細書では吸着材と呼ぶこともある）を更に含むことができる。第２の材料は、第１の材料に結合することができ、清掃面から液体を吸着するように構成された吸着構造を有することができる。第２の材料は、スポンジ状材料、不織布材料層、織物材料層、複数層、基材、シート、パッドなどのうちのいずれか１つ又は組み合わせを含むことができる。いくつかの実施形態による第２の材料を含み得る例示的な材料は、米国特許第４，８１３，９４８号、同第４，９２１，６４５号、同第４，４２９，００１号、同第４，６５０，４７９号、同第５，２５６，４６６号及び同第４，９３３，２２９号に記載されており、これらの各々が参照によりその全体が本明細書に組み込まれる。
【００１５】
定義
用語「１つの（a）」、「１つの（an）」、及び「その（the）」は、「少なくとも１つの」と交換可能に使用され、記載されている要素のうちの１つ以上を意味する。
【００１６】
用語「及び／又は」、「少なくとも１つの」、「１つ以上の」は、いずれか一方又は両方を意味する。例えば「Ａ及び／又はＢ」は、Ａのみ、Ｂのみ、又はＡとＢとの両方を意味する。
【００１７】
用語「含む（including）」、「備える／含む（comprising）」又は「有する（having）」及びこれらの変化形は、それらの後に記載される物品及びそれらの均等物並びに付加的な物品を包含することを意味する。
【００１８】
特に特定又は限定されない限り、用語「結合された」及びその変化形は広義で用いられるものであり、直接的及び間接的な結合の双方を包含するものである。
【００１９】
用語「後」、「前」、「上」、「下」などのは、互いに関係する要素を記述するために使用され、用具の特定の向きを述べること、用具の必要な又は要求される向きを示すか又は暗示すること、あるいは、本明細書に記載された本発明がどのように使用、装着、又は使用中に配置されるかを特定することを決して意味するものではない。
【００２０】
「ゴミ（debris）」は、固形物（例えば、微粒子など）及び濃厚又はチキソトロピー流体の両方を含む。
【００２１】
用語「嵩高な（lofty）」、「嵩高な材料（lofty material）」又はその変化形は、内部に開口及び空隙を有する材料を包含することを意味する。開口及び空隙は、この材料内にゴミを収集する収容力をもたらす。
【００２２】
用語「粘着性のある（tacky）」、「粘着性材料（tacky material）」又はその変化形は、様々な形態の様々な粘着材を包含することを意味し、その具体的な特性は清掃用具の使用に依存する。粘着性材料は、エラストマーブロックコポリマー、天然ゴム、ブチルゴム及びポリイソブチレン、スチレン−ブタジエンゴム（ＳＢＲ）、ポリイソプレン、ポリアルファオレフィン並びにポリアクリレートなどの感圧接着剤を含み得る。有用な熱可塑性エラストマーブロックコポリマーの例としては、スチレン−イソプレン（ＳＩ）、スチレン−イソプレン−スチレン（ＳＩＳ）、スチレン−ブタジエン−スチレン（ＳＢＳ）、エチレン−プロピレン−ジエン、スチレン−エチレン／ブチレン−スチレン（ＳＥＢＳ）及びスチレン−エチレン／プロピレン−スチレン（ＳＥＰＳ）が挙げられる。他の有用な接着剤組成物としては、例えば、ポリビニルエーテル、エチレン含有コポリマー（エチレンビニルアセテート、エチルアクリレート、及びエチルメタクリレートなど）、ポリウレタン、ポリアミド、ポリエポキシド、ポリビニルピロリドン、及びそれらのコポリマー、ポリビニルアルコール及びそのコポリマー、ポリエステル、並びにそれらの組み合わせを挙げることができる。更に、粘着性材料は、以下に述べるように、粘着性ポリマーなどのポリマー添加剤を単独で、又は１つ以上の感圧接着剤と組み合わせて含むことができる。好適な粘着性ポリマーとしては、Ｎ−デシルメタクリレートポリマー、ポリイソブチレンポリマー、アルキルメタクリレートポリマー、ポリイソブチレンポリマー、ポリアルキルアクリレート、及びそれらの混合物が挙げられるが、これらに限定されない。粘着性材料組成物はまた、例えば、可塑剤、希釈剤、充填剤、酸化防止剤、安定化剤、顔料、架橋剤などの添加剤を含むこともできる。
【００２３】
用語「吸着剤（sorbent）」、「吸着材（sorbent material）」又はそれらの変化形は、吸収材及び吸着材の両方を包含することができる。
【００２４】
用語「吸着する（sorb）」は、第２の材料が液体を取り込み、それを内部に保持するプロセス又は能力を説明するものである。吸着する（sorb）は、吸収又は吸着を含むことができる。
【００２５】
用語「液体」は、洗浄溶液などの水性流体及び油性流体を含む任意の流体を包含することができる。
【００２６】
用語「繊維」は、編物、織物、不織布繊維性材料を含むことができる。繊維は、不定長さ（例えば、フィラメント）及び不連続長さの繊維（例えば、短繊維）とすることができる。いくつかの実施形態によれば、繊維は多成分繊維とすることができる。用語「多成分繊維」は、繊維の横断面において、少なくとも２つの別個の長手方向に同じ拡がりを持つ、構造化されたポリマードメインを有する繊維を指し、ドメインが分散、ランダム、又は非構造化される傾向にある配合物とは対照的である。それでもなお、有用な繊維性材料としては、例えば、任意の適切な繊維長さ及びデニールのポリエステル、ナイロン、ポリプロピレン、及びそれらの混合物が挙げられる。更に、繊維の一部又は全部は、エレクトレット材料など、永続的な静電特性を示すように選択及び／又は処理することができる。
【００２７】
フレーズ「シート」、「シート状」、「シート状構成」又はそれらの変化形は、その長さ及び幅に対して小さい厚さを有する清掃用具を説明するために使用される。清掃用具は、物品の「作用面」を画定することができるが、この作用面及び本用具の残りの部分は、例示的な図面に示すように、平坦又は平面である必要はない。作用面は、第１の材料、第２の材料、第３の材料又は本明細書に記載のその他の材料の１つ以上の領域で構成することができる。例示的な実施形態によれば、作用面は、清掃面とインターフェースし、接触するように構成することができる。いくつかの実施形態によれば、作用面は、幾何学的にゴミを捕捉するような形状にすることができる。
【００２８】
用語「層」は、平坦又は平面である必要はなく、複数の層を指し得る。この層は、基材並びにコーティング、スクリム、スプレ、シーラント、カバー、及び様々な材料又は追加の層で被覆された又はそうでなければ覆われた中間層を含むことができ、これは、例えば、第２の材料の一部であり得る。
【００２９】
図１及び図１Ａは、本開示の一実施形態による清掃装置１００を示す。用具１００は、本明細書で更に説明するように、清掃媒体が取り付けられた清掃用具１０１を有するモップを含むことができる。清掃装置１００は、本体１０２と、連結部１０４と、ハンドル１０６とを更に含むことができる。本体１０２は、図示された実施形態による清掃用具１０１と結合するように構成された基部又はバッキングを備えることができる。本体１０２と清掃用具１０１との間のこのような結合は、接着剤、スナップ、フック、クリップ、タブ、又は当技術分野で既知の他の手段など、機械的機構を使用して達成することができる。従って、本体１０２は、概して、剛性構造又は半剛性構造となるように構成することができる。いくつかの場合では、本体１０２は、清掃面１０８に対して清掃用具１０１を押し付けるための重量又は他の機構（単数又は複数）をもたらすことができる。本体１０２はまた、清掃用具１０１を清掃面１０８とインターフェースするような形状にすることもできる。
【００３０】
ハンドル１０６は、使用者が把持可能であるように構成することができ、剛性材料の細長い構造体を備えることができる。ハンドル１０６は連結部１０４を介して本体１０２に結合することができる。連結部１０４は、車軸関節、自在継手、又は当技術分野で一般的な別の種類の関節継手を備えることができる。
【００３１】
図１に示すように、清掃装置１００の清掃用具１０１は、清掃面１０８を清掃するように構成することができ、湿式（液体吸着）及び乾式（ゴミ収集）能力の両方を有することができる。実際、図１の実施形態では、清掃装置１００の清掃用具１０１が、液体１１０を吸着し、ゴミ１１２を収集するところが示されている。
【００３２】
清掃用具１０１は、図２に更に詳細に示される。清掃用具１０１は、シート状材料とすることができ、また、作用面１１４を有することができ、作用面１１４は、図２の実施形態の第１の材料１１６によって少なくともその一部分が形成されている。図２の実施形態では、清掃用具１０１は、前縁１１８と、後縁１２０と、第１の側縁１２２と、第２の横断方向側縁１２４とを含むことができる。
【００３３】
作用面１１４は、清掃面１０８（図１）とインターフェースし、接触するように構成することができる。図２の実施形態では、作用面１１４は、前縁１１８から後縁１２０まで、及び第１の側縁１２２と第２の側縁１２４との間の範囲で略平坦であり得る。しかし、他の実施形態では、作用面１１４は、例えば、前縁１１８と後縁１２０との間で曲率半径を有することができる。更なる実施形態では、作用面１１４は、ポケット、凹部、凸部、又はその他の幾何学的表面特徴をその面上又はその面内に有し、ゴミの吸着及び／又は捕捉を容易にすることができる。
【００３４】
前縁１１８及び後縁１２０は、第１の側縁１２２及び第２の横断方向側縁１２４に対して細長い範囲を有することができる。前縁１１８は、第１の側縁１２２と第２の横断方向側縁１２４との間で延びることができる。同様に、後縁１２０は、第１の側縁１２２と第２の横断方向側縁１２４との間で延びることができる。清掃用具１０１は、図２の実施形態によれば略矩形に形成することができる。従って、前縁１１８は、後縁１２０と略平行だが、後縁１２０から間隔を空けて延びることができる。他の実施形態では、清掃用具１０１は、別の形状にすることができ、例えば、円形状を有することができる。従って、清掃用具１０１は、既述したような明確な前縁、後縁又は側縁を有していないこともある。
【００３５】
本明細書で使用される場合、用語「前縁」は、清掃用具１０１がその使用者から離れるように前方向に動かされるときに清掃用具１０１の先頭になる清掃用具１０１の縁を指す。同様に、用語「後縁」は、清掃用具１０１がその使用者から離れるように前方向に動かされるときに清掃用具１０１の最後になる清掃用具１０１の最遠縁を指す。清掃用具は任意の方向に動かすことができるので、前縁及び後縁の定義は使用に依存する。いくつかの実施形態では、本明細書に開示された清掃用具は、清掃用具の第２の作用面を使用して清掃面１０８（図１）とインターフェースし、接触して使用できるように、表裏両面使用可能（すなわち、清掃用具は基部１０２（図１）を下に裏返すことができる）に構成することができることもまた認識されている。このような場合、先の前縁が後縁となり、先の後縁が前縁となる。このように、以降の説明では、前縁を、細長い第１の縁及び／又は細長い第２の縁と呼ぶことがある。同様に、以降の説明では、後縁を、細長い第１の縁及び／又は細長い第２の縁と呼ぶことがある。
【００３６】
図２Ａは、清掃用具１０１の一部分の拡大であり、第２の材料（以降で説明及び図示する）から分離された第１の材料１１６の一部のみを示す。図２Ａの拡大は、後縁１２０と第１の側縁１２２との間の合流点にある。図２Ａは、第１の材料１１６の表面１２６を示す。表面１２６は、第１の用具１０１の作用面１１４の少なくとも一部分を形成する。
【００３７】
図２Ａに示すように、第１の材料は、内部に複数の繊維１２８を有する不織布層１２７を含むことができる。いくつかの実施形態によれば、この複数の繊維は、ウェブ構造１３０を形成することができる。第１の材料は、表面１２６上に接着剤（図２Ａでは番号がない）を更に含むことができる。図２Ａの実施形態によれば、第１の材料１１６は、清掃用具１０１の作用面１１４の少なくとも一部分を含む表面１２６上に接着剤を有する目の粗い嵩高な構造を有することができる。以降に説明及び図示されるように、清掃用具１０１は、第２の材料（図２には図示されない）を追加的に含むことができる。第２の材料は、第１の材料１１６に結合することができる。第２の材料は、清掃面１０８（図１）から液体を吸着するように構成された吸着構造を有することができる。
【００３８】
不織布層１２７を含む第１の材料１１６が、図２Ｂの断面図に更に示される。大まかに言って、ウェブ構造１３０は、表面１２６を含む両外側表面を画定する。表面１２６と第２の外側表面１３４との間に中間領域１３２を画定することができる。接着剤１３６は、ウェブ構造１３０を構成する複数の繊維１２８を個別に被覆する。これにより、接着剤１３６は、第１の材料１１６に粘着性をもたらすことができる。接着剤１３６は、液体の存在下又は不在下で粘着性である物質を備えることができる。接着剤１３６は、複数の繊維１２８の１つ以上の表面１３８Ａ、１３８Ｂ、１３８Ｃ（例示的目的で読み上げる）上に存在し得る。複数の繊維１２８が第１の材料１１６の一部を形成することができるので、１つ以上の表面１３８Ａ、１３８Ｂ及び１３８Ｃは、図２Ｂに示す表面１２６を含み得る。
【００３９】
図２Ｂの例によれば、接着剤１３６は、表面１２６及び１３４の一方又は両方におけるより中間領域１３２においてコーティングレベルが高くなり得る。図を簡易にするために、外側表面１２６及び１３４は図２Ｂにおいて略平坦に示されているが、この表現は本出願の実施形態において提供される空隙容積を反映していないと認識されるであろう。更に、略平面形状を想定して清掃用具１０１を図１〜図２Ｂに示したが、前述したように、第１の材料１１６の形状も含めて他の形状が許容可能である。
【００４０】
図２Ｂの実施形態では、表面１２６及び１３４が略平坦な構成に限定されず、代わりに、ゴミ（図示せず）を内部に収集できる明確な空隙容積を提供することになるように、複数の繊維１２８は、対応する表面１２６及び１３４に対してばらついた位置でランダムに分布することができる。第１の材料１１６は、ゴミを収集するように構成することができる。更に、接着剤１３６は図２Ｂに点描で表され、複数の繊維１２８のそれぞれに関する接着剤の厚さが例示のために誇張されている。更に参照すると、図２Ｂに示されたウェブ構造１３０は、内部で複数の繊維１２８が絡まっている不織布ウェブである。しかしながら、以下で明らかにされるように、これはウェブ構造１３０の１つの許容可能な形態に過ぎず、他の代替的実施形態では、例えば、繊維は織られてもよい。第１の材料１１６は、その厚みにわたって比較的連続的である単一層として概略的に図示されているが、代替的構造、例えば、異なる特性を有する２つ以上の不織布層を互いに接着して、第１の材料１１６を形成するなどもまた企図される。複数の繊維１２８はそれぞれ、ウェブ構造１３０内で、ばらついた方向に延びることができる。
【００４１】
図２Ｂに示す複数の繊維１２８は、比較的少数として示されており、参照及び説明を容易にするために拡大されている。第１の材料１１６は、図２Ｂに示された少数の繊維よりもはるかに小さくかつ多数の複数の繊維１２８を含み得ることを認識すべきである。接着剤１３６は、第２の部分１４２及び第３の部分１４４と比較して、第１の部分１４０（中間領域１３２に相当する）に沿った複数の繊維１２８上に比較的大きいコーティング厚さを有すると図示されている。しかし、他の実施形態では、第１の部分１４０に対して第２の部分１４２及び第３の部分１４４の一方又は両方において、コーティング厚さを実質的に均一にする、又は比較的大きくすることができる。
【００４２】
一実施形態では、接着剤１３６の全体水準（ウェブ構造１３０の全体に関する）は、０．１〜２００ｇ／ｍ２の範囲であり得る。別の実施形態では、接着剤１３６の全体水準は、１０ｇ／ｍ２より大きく、別の実施形態では、１５ｇ／ｍ２以上であり、また別の実施形態では、２０ｇ／ｍ２以上である。
【００４３】
接着剤１３６は、例えば、エラストマーブロックコポリマー、天然ゴム、ブチルゴム及びポリイソブチレン、スチレン−ブタジエンゴム（ＳＢＲ）、ポリイソプレン、ポリアルファオレフィン並びにポリアクリレートなどの感圧接着剤を含む様々な製品を含み得る。有用な熱可塑性エラストマーブロックコポリマーの例としては、スチレン−イソプレン（ＳＩ）、スチレン−イソプレン−スチレン（ＳＩＳ）、スチレン−ブタジエン−スチレン（ＳＢＳ）、エチレン−プロピレン−ジエン、スチレン−エチレン／ブチレン−スチレン（ＳＥＢＳ）及びスチレン−エチレン／プロピレン−スチレン（ＳＥＰＳ）が挙げられる。他の有用な接着剤組成物としては、例えば、ポリビニルエーテル、エチレン含有コポリマー（エチレンビニルアセテート、エチルアクリレート、及びエチルメタクリレートなど）、ポリウレタン、ポリアミド、ポリエポキシド、ポリビニルピロリドン、及びそれらのコポリマー、ポリビニルアルコール及びそのコポリマー、ポリエステル、並びにそれらの組み合わせを挙げることができる。
【００４４】
更なる実施形態によれば、接着剤１３６は、例えば、ロジンエステル、テルペン、フェノール、及び脂肪族樹脂、芳香族樹脂、又は脂肪族及び芳香族合成炭化水素モノマー樹脂の混合物などの粘着付与樹脂を含み得る。ブロックコポリマー接着剤組成物に有用な粘着付与剤成分は、固体、液体、又はそれらの配合物であってよい。好適な固体粘着付与剤としては、ロジン、ロジン誘導体、炭化水素樹脂、ポリテルペン、クマロンインデン、及びそれらの組み合わせが挙げられる。好適な液体粘着付与剤としては、液体炭化水素樹脂、水素添加液体ポリスチレン樹脂、液体ポリテルペン、液体ロジンエステル、及びそれらの組み合わせが挙げられるが、これらに限定されない。多くの粘着付与剤は市販されており、接着剤配合物分野の当業者により選択されることができる。
【００４５】
好適な接着剤１３６組成物としては、例えば、スプレコーティング、ホットメルトコーティング、転写コーティング、溶剤コーティングが可能な組成物、及びラテックス接着剤組成物が挙げられる。より具体的には、一実施形態では、接着剤１３６は、ホットメルトコーティング可能な感圧接着剤とすることができる。好適なホットメルトコーティング可能な感圧接着剤としては、Ｈ．Ｂ．Ｆｕｌｌｅｒ  Ｃｏｍｐａｎｙ（Ｓｔ．Ｐａｕｌ、Ｍｉｎｎ）から入手可能なＨＬ−１９０２及びＨＬ−２１６８が挙げられる。
【００４６】
接着剤１３６は、Ｎ−デシルメタクリレートポリマー、ポリイソブチレンポリマー、アルキルメタクリレートポリマー、ポリイソブチレンポリマー、ポリアルキルアクリレート、及びそれらの混合物など、１つ以上の添加剤を追加的に含み得る。更なる添加剤としては、例えば、可塑剤、希釈剤、充填剤、酸化防止剤、安定剤、顔料、架橋剤などを挙げることができる。
【００４７】
いくつかの実施形態によれば、第１の材料１１６は、カレンダ処理された材料又はカレンダ処理されていない材料とすることができる。いくつかの実施形態では、前述の接着剤１３６は、第１の材料１１６上で利用されない場合がある。一実施形態によれば、第１の材料１１６は、約０．０５インチ〜約０．５インチの厚さを有し得る。一実施形態によれば、第１の材料１１６の層は、０．１インチの厚さを有することができ、約０．０２グラム／平方インチの面積当たり重量を有した。
【００４８】
図３及び図３Ａは、別の実施形態による、基部１０２に結合された清掃用具２０１を示す。図３は、図３Ａの清掃用具２０１及び基部１０２の反対側を提供する。基部１０２は、解釈しやすいように、図３及び図３Ａでは単純化された概略矩形状として示される。清掃用具２０１は、第１の材料２０２及び第２の材料２０４と、作用面２０６と、第１の細長い縁２０８と、第２の細長い縁２１０とを含むことができる。
【００４９】
図３及び図３Ａでは、第１の材料２０２及び第２の材料２０４は、シート状の材料を構成することができ、第１の材料の表面２１４が作用面２０６の実質的に全部を構成するように、第１の材料２０２が第２の材料２０４上に配置され第２の材料２０４を実質的に覆う状態で重層化層２１２として組み立てられることができる。第２の材料２０４は、第１の材料２０２によって作用面２０６から間隔を空けることができる。従って、第１の材料２０２の表面２１４は、清掃面に配置されるように構成することができ、第２の材料２０４は、第１の材料２０２によって清掃面から間隔を空けることができる。
【００５０】
第１の材料２０２及び第２の材料２０４は、図３及び図３Ａにおいて構造が略矩形として示されており、第１の細長い縁２０８と第２の細長い縁２１０との間に延びているだけでなく図３及び図３Ａにおいて番号が付けられていない側縁同士の間にも延びている。同様に、作用面２０６は、第１の細長い縁２０８と、第２の細長い縁２１０と、側縁とによって境界付けることができる。図３及び図３Ａの実施形態では、作用面２０６は、第１の材料２０２の表面２１４から構成されることができる。
【００５１】
図３及び図３Ａの清掃用具２０１の形状は例示的なものであり、清掃用具２０１並びに実際の第１の材料２０２及び第２の材料２０４の形状は他の実施形態では異なっていてもよい。実際に、ほとんどの実施形態では、その形状（厚さ、幅、長さ）は、第２の材料２０４の形状と異なっていてもよく、第１の材料２０２の形状と異なっていてもよい。
【００５２】
第１の材料２０２の構造は、図２〜図２Ｂを参照して前述した第１の材料１１６の構造と類似又は同一であり得る。従って、第１の材料２０２については、詳細には説明しない。第２の材料２０４は、第１の材料２０２に結合することができ、清掃面（図示せず）から液体を吸着するように構成された吸着構造を有することができる。いくつかの実施形態によれば、第１の材料２０２上の接着剤１３６（図２Ｂ）によって形成された接着剤ボンド、第２の接着剤によって形成された接着剤ボンド、超音波溶接及び伝熱ボンドのうちの少なくとも１つによって、第２の材料２０４を第１の材料２０２に結合することができる。図３及び図３Ａの実施形態によれば、第１の材料２０２と第２の材料２０４とは、細長い第１の縁２０８及び細長い第２の縁２１０の一方又は両方に沿って結合することができる。いくつかの実施形態では、第１の材料２０２及び第２の材料２０４のうちの少なくとも一方は、作用面２０６を清掃面（図示せず）に適合させるために弾性的に圧縮可能とすることができる。
【００５３】
いくつかの実施形態によれば、第２の材料２０４は、第２の材料１グラム当たり約５グラムの流体の吸着から第２の材料１グラム当たり約５０グラムの流体の吸着の間の吸着能力を有することができる。更なる実施形態によれば、第２の材料２０４が、中程度の能力の製品を含む場合、吸着能力は、第２の材料１グラム当たり約１０グラムの流体の吸着から第２の材料１グラム当たり約２５グラムの流体の吸着の間とすることができる。第２の材料２０４が、高程度の能力の製品を含む場合、吸着能力は、第２の材料１グラム当たり約２０グラムの流体の吸着から第２の材料１グラム当たり約５０グラムの流体の吸着の間とすることができる。第２の材料についての説明は、更に、下記の実験例のうちの１つに関して以降に詳細に提供する。更なる実施形態によれば、第２の材料２０４の厚さは、約０．０５ｍｍ〜約５０ｍｍとすることができる。
【００５４】
いくつかの実施形態によれば、第２の材料２０４は、マイクロウェブ構造を有する不織布マイクロファイバ材料を含むことができる。マイクロファイバは、一般に、約１０ミクロン未満の平均繊維径を有する熱可塑性繊維であり得る。更なる例によれば、不織布ウェブは、キャリア繊維、すなわち、ブローン繊維、好ましくは、メルトブローンマイクロファイバ、エアレイド短繊維、又は木材パルプ繊維と、キャリア繊維同士の間に含有又は分散されたマイクロファイバマイクロウェブとを含むことができる。第２の材料２０４を含み得る製品の例としては、Ｃｈｅｍｉｃａｌ  Ｓｏｒｂｅｎｔ、Ｏｉｌ  ＆  Ｐｅｔｒｏｌｅｕｍ  Ｓｏｒｂｅｎｔ及びＭａｉｎｔｅｎａｎｃｅ  Ｓｏｒｂｅｎｔ用を含む、市販の３Ｍ（商標）のＳｏｒｂｅｎｔ  Ｐａｄ、Ｒｏｌｌ、Ｆｏｌｄｅｄ  Ｐａｄが含まれ得る。３Ｍ（商標）Ｓｏｒｂｅｎｔ  Ｐａｄを利用する場合には、高容量パッド及び中容量パッドの両方を含むことができる。
【００５５】
いくつかの例によれば、第２の材料２０４は、洗浄液（例えば、水又は洗浄溶液）を含浸し、作用面が清掃面と接触する際に洗浄液を放出するように構成することができる。この含浸は、清掃プロセスの前又は間に生じ得る（例えば、第２の材料２０４は、前処置しておくことができる、又は清掃プロセス中にバケツ又は他の供給源から液体を吸着することができる）。第１の材料２０２及び／又は第２の材料２０４は、添加剤（例えば、第１の材料２０２及び／又は第２の材料２０４のうちの１つ以上を疎水性、親水性、油吸着性などにするための界面活性剤）を含むことができる。更なる実施形態によれば、第２の層２０４は、その１つ以上の表面上に、第２の材料２０４をシールし、かつ／又は保持するためのカバーシート、多孔質シーラント、多孔質シール層、スクリム又はその他の材料などの多孔質被覆を含むことができる。
【００５６】
また、図４及び図５はそれぞれ、清掃用具３０１及び４０１の実施形態を示す。図４及び図５の両方において、第１の材料３０２、４０２は、複数の間隔が空けられたストリップ３０３、４０３を構成する。より具体的には、図４では、清掃用具３０１は、第１の材料３０２、第２の材料３０４、第１の作用面３０６、第１の細長い縁３０８及び第２の細長い縁３１０を含む。図５では、清掃用具４０１は、第１の材料４０２、第２の材料４０４、第１の作用面４０６、第１の細長い縁４０８及び第２の細長い縁４１０を含む。図４の実施形態及び図５の実施形態の両方では、第２の材料３０４、４０４が作用面３０６、４０６の第２の部分３１２、４１２を形成し、この第２の部分３１２、４１２が清掃面に接触することができるように、第１の材料３０２、４０２は弾性的に圧縮可能とすることができる。従って、図４及び図５の実施形態では、清掃用具３０１、４０１の作用面３０６、４０６は、第２の材料３０４、４０４によって形成された第２の表面３２０、４２０を含むことができる。
【００５７】
図４で前述したように、第１の材料３０２は、複数のストリップ３０３を構成する。ストリップ３０３同士は、作用面３０６に沿って互いに間隔を空けることができる。ストリップは、細長い第１の縁３０８及び細長い第２の縁３１０に対してある角度（例えば、直交）で配置することができる。従って、図４の実施形態では、ストリップ３０３は、細長い第１の縁３０８から細長い第２の縁３１０まで作用面を横切って横方向に延びている。ストリップは、ばらついた間隔幅で存在してもよいことは図示されていない。これらは単なる例示的なデザインであり、その他の非連続的及び連続的な両方の幾何学的パターンが使用され得る。
【００５８】
同様に、図５では、第１の材料４０２は、複数のストリップ４０３を含む。ストリップ４０３同士は、作用面４０６に沿って互いに間隔を空けることができる。ストリップは、細長い第１の縁４０８及び細長い第２の縁４１０に対してある角度（例えば、鋭角）で配置することができる。従って、図５の実施形態では、ストリップ４０３は、細長い第１の縁４０８から細長い第２の縁４１０まで作用面を横切って斜めに延びている。
【００５９】
図６〜図１２は、清掃用具の実施形態であって、この用具がモップに表裏両面使用可能に取り付けられ、２つの作用面を有する実施形態を示している。各例は吸着材の両面上にある嵩高な基材を図示しているが、吸着材の片面上に嵩高な材料が配置された、具体的には使い捨て製品用の片面モップについては、先の例示的な実施形態に関して説明したように企図される。例えば、図６は、第２の材料５０４の両面に第１の材料５０２Ａ及び第１の材料５０２Ｂを有する清掃用具５０１を示す。清掃用具５０１は、前述したように構成され使用される材料とすることができるので、その構造の具体的な説明については詳細には説明しない。清掃用具５０１は、第１の作用面５０６Ａと第２の作用面５０６Ｂとを含む。第１の作用面５０６Ａは、第１の材料５０２Ａの表面５０８を含むことができる。第２の作用面５０６Ｂは、第１の材料５０２Ｂの表面５１０を含むことができる。第１の材料５０２Ａ及び第１の材料５０２Ｂは、図６の実施形態に示されるように、構造及び組成が同一であり得る。しかし、他の実施形態では、第１の材料５０２Ａが第１の材料５０２Ｂと構造又は組成が異なっていてもよい。
【００６０】
図７は、第１の材料６０２Ａ、第１の材料６０２Ｂ、第２の材料６０４、第１の作用面６０６Ａ、第２の作用面６０６Ｂ、第１の細長い縁６０８及び第２の細長い縁６１０を含む清掃用具６０１を示す。
【００６１】
第１の材料６０２Ａ、６０２Ｂは、細長い第１の縁６０８及び細長い第２の縁６１０の一方又は両方において、かつこれらの縁に隣接して作用面６０６Ａ、６０６Ｂを含むように、第２の材料６０４に対して配置することができる。より具体的には、第１の作用面６０６Ａは、第１の材料６０２Ａの表面６１２Ａと、第２の材料６０４の表面６１４と、第１の材料６０２Ｂの表面６１２Ｂとから構成することができる。同様に、第１の作用面６０６Ｂは、第１の材料６０２Ａの表面６１２ＡＡと、第２の材料６０４の表面６１６と、第１の材料６０２Ｂの表面６１２ＢＢとから構成することができる。従って、図７の実施形態では、清掃用具６０１の作用面６０６Ａ、６０６Ｂは、第２の材料６０４によって形成された第２の表面６１４、６１６を含む。
【００６２】
図８〜図１２の清掃用具の各実施形態は、第１の材料及び第２の材料に加えて、第３の材料を含むことができる。第３の材料は、例えば、シール層、カバーシート、スクリム及び研磨剤などのうち１つ以上を含むことができる。例えば、図８は清掃用具７０１の実施形態を示し、この清掃用具７０１は、図７の実施形態の構造と類似の構造を有するが、第１の材料７０２及び第２の材料７０４に加えて、第３の材料７０６を有する。第３の材料７０６は、第１の材料７０２及び第２の材料７０４の一方又は両方に結合することができる。図８に示すように、第３の材料７０６は、第２の材料７０４の両面上に配置することができ、第１の材料７０２と第２の材料７０４との間に配置することができる。第３の材料７０６及び第１の材料７０２は組み合わさって、清掃用具７０１の第１の作用面７０８Ａ及び第２の作用面７０８Ｂを構成することができる。
【００６３】
図９の清掃用具８０１の実施形態は、第１の材料８０２、第２の材料８０４、第３の材料８０６、第１の作用面８０８Ａ、第２の作用面８０８Ｂ、細長い第１の縁８１０及び細長い第２の縁８１２を含むことができる。第３の材料８０６は、第２の材料８０４に結合することができる。第３の材料８０６は、第２の材料８０４上に、細長い第１の縁８１０及び細長い第２の縁８１２の一方又は両方において、かつこれらの縁に隣接して配置することができる。従って、第３の材料８０６は、細長い第１の縁８１０及び細長い第２の縁８１２の一方又は両方における、かつこれらの縁に隣接した作用面８０８Ａ、８０８Ｂを構成することができる。第１の材料８０２は、清掃用具８０１の中間部分にある作用面８０８Ａ、８０８Ｂを構成することができ、第３の材料８０６によって細長い第１の縁８１０及び細長い第２の縁８１２から間隔を空けられている。
【００６４】
図１０は、清掃用具９０１の実施形態を示し、この清掃用具９０１は、図４の構造と類似の構造であるが、第１の材料９０２及び第２の材料９０４に加えて、第３の材料９０６を追加的に含む。第３の材料９０６は、第１の材料９０２及び第２の材料９０４の一方又は両方に結合することができる。実際には、図１０では、第３の材料９０６は、第１の材料９０２と第２の材料９０４との間に配置することができる。第３の材料９０６は、清掃用具９０１の作用面９０８Ａ、９０８Ｂの一部分を構成することができる。第１の材料９０２は、第３の材料９０６の露出部分同士の間の作用面９０８Ａ、９０８Ｂの一部分を構成することができる。
【００６５】
図１１は、更に別の実施形態による清掃用具１００１を示す。図１１では、第３の材料１００６は、第２の材料１００４の第１の材料１００２とは反対の面に配置することができる。より具体的には、第１の材料１００２は、清掃用具１００１の第１の作用面１００８Ａを構成することができる。同様に、第３の材料１００６は、清掃用具１００１の第２の作用面１００８Ｂを構成することができる。
【００６６】
図１２は、第１の材料１１０２が第１の作用面１１０８Ａにおいて複数の別種の領域１１０３を構成する清掃用具１１０１の実施形態を示す。図１２の実施形態では、第１の材料１１０２は、繊維状接着剤スプレ、パターンコーティング接着剤などを含むことができる。第１の材料１１０２は、第３の材料１１０６上に配置され、第３の材料１１０６に結合することができる。第３の材料１１０６は、第２の材料１１０４上に配置され、第２の材料１１０４に結合することができる。図１２では、領域１１０３は、点又は小さな円として構成される。領域１１０３の形状、サイズ、間隔及び数は、ゴミの種類、密度、サイズ及び他の要因に応じてゴミの除去を最大限にするために、所望に応じて選択することができる。領域１１０３及び、実際には、第２の材料１１０４及び／又は第３の材料１１０６は、第２の材料１１０４に液体を吸着させながらゴミを幾何学的に捕捉することができる特徴（例えば、領域１１０３）をもたらすような形にできる。いくつかの実施形態によれば、第１の材料１１０２及び第３の材料１１０６のうちの少なくとも一方は、三次元構築された構造とすることができ、研磨剤を備えることができ、テクスチャなどを備えることができる。更なる実施形態によれば、第３の材料を利用することはできないが、第１の材料を構成するスプレ接着剤を、清掃用具を形成する第２の材料に添加することができる。
【００６７】
図１３は、第１の材料の２つの部分１２０２が第２の材料１２０４に固定されている清掃用具１２０１の斜視図である。図１３に示された実施形態では、第２の材料１２０４は、第２の材料１２０４の上面及び下面の両方で第３の材料１２０６に結合されている。第１の材料１２０２の２つの部分は、各部分１２０２が、第２の材料１２０４及び第３の材料１２０６の縁と重なって第２の材料１２０４及び第３の材料１２０６によって形成された構造を距離Ｄ１だけ越えて延びるように、第２の材料１２０４（又は第２の材料１２０４及び第３の材料１２０６の構造）に固定されることができる。場合によっては、本開示と矛盾しない、第１の材料１２０２の３つ以上の部分を使用することができる。距離Ｄ１は、例えば、５ｍｍ以上、１０ｍｍ以上、１５ｍｍ以上、２０ｍｍ以上又は２５ｍｍ以上とすることができる。距離Ｄ２は、約１ｍｍとすることができ、場合によってはボンドライン１２１２の幅であってもよい。場合によっては、距離Ｄ２はより大きくてもよく、第１の材料１２１２の非接合領域が第２の材料１２０４と重なるようにボンドライン１２１２を越えて延びてもよい。これらの場合、距離Ｄ２は、例えば、５ｍｍ、１０ｍｍ、１５ｍｍ、２０ｍｍ、２５ｍｍ又はこれらの距離のうちのいずれか２つの範囲内であってよい。
【００６８】
いくつかの実施形態では、部分１２０２は、第１の材料の２つ以上の層を含むことができる。場合によっては、部分１２０２の２層の実施形態は、縁１２０８又は１２０９のいずれかを含む第１の材料１２０２の折り畳まれた部分によって形成されてもよい。
【００６９】
いくつかの実施形態では、部分１２０２が第１の材料の連続層であるように、材料１２０２の２つの部分の間に隙間がなくてもよい。
【００７０】
部分１２０２は、様々な方法で材料１２０４及び１２０６に固定することができ、例えば、縫製（又は裁縫）、第２の接着剤によって形成された接着剤ボンド、超音波溶接及び伝熱ボンドによって機械的に固定することが挙げられる。部分１２０２は、ライン１２１２に沿って部分１２０４及び１２０６に固定することができる。ライン１２１２は、連続的超音波溶接などの連続的接合、又は縫製若しくは間欠的溶接パターンによって生成することができるような間欠的接合を含み得る。
【００７１】
図１３に示された実施形態では、清掃用具の両主面を清掃動作中に使用することができる。これにより、図示された清掃用具の寿命を延ばすことができる。更に、上面１２１３には、底面１２１４よりも作用面上により多くの第１の材料１２０２が存在するので、ゴミを収集する必要性がより高い状況では上面１２１３を作用面として使用することができ、流体を吸収する必要性が高い状況では底面１２１４を作用面として使用することができる。
【００７２】
図１４は清掃用具１３００の斜視図であり、この清掃用具１３００では、第１の材料の２つの部分１３０２が、第２の材料１３０４の前縁及び後縁の周りを上面１３１３から底面１３１４まで包み込むようにして第２の材料１３０４に固定され、第１の材料１３０２の縁１３０９が、約１０ｍｍ、２０ｍｍ、２５ｍｍ若しくはそれ以上のＤ４の距離だけ、又は上記数字のうちのいずれか２つの間の任意の範囲だけ、縁１３１０を越えて延びている。第１の材料１３０２は、ほぼボンドラインの幅の距離Ｄ３だけ第２の材料１３０４と重なり、ボンドラインの幅は、例えば、１ｍｍ、２ｍｍ、３ｍｍ、４ｍｍ、５ｍｍ又はそれ以上とすることができる。いくつかの場合では、距離Ｄ３は、ボンドラインの幅より大きくてもよく、ボンドラインを過ぎて２５ｍｍまで又はそれ以上延びて、第１の材料１３０２の非接合領域として第２の材料１３０４と重なるようにしてもよい。
【００７３】
図１５は、本開示の一実施形態による清掃用具１５００の分解断面図であり、この実施形態において、この用具１５００は、第２の材料１５０４の２つの部分の間に折り畳まれて固定された第１の材料１５０２を含む。図１５では、第３の材料１５０６は、第２の材料１５０４の両外側主面上に配置される。一例では、材料１５０６はスクリムである。清掃用具１５００は、本明細書で説明した縫い目又は任意の接合技術によって固定することができる。場合によっては、第２の材料１５０４の２つの部分の外側ではなく、第２の材料１５０４の２つの部分の間で折り畳まれるように、第１の材料１５０２を反転させることができる。
【００７４】
図１６は、本開示の一実施形態による清掃用具１６００の分解断面図であり、この実施形態において、この用具は、第２の材料１６０４の２つの部分の前縁及び後縁に配置され、これらの縁を越えて延びる第１の材料１６０２を含む。第３の材料１６０６は、第２の材料１６０４の各外側主面上に配置される。いくつかの実施形態では、第３の材料１６０６はスクリムである。清掃用具１６００は、本明細書で説明した縫い目又は任意の接合技術を使用して固定することができる。
【００７５】
図１７は、本発明の一実施形態による清掃用具１７００の分解断面図であり、この実施形態において、この用具１７００は、第２の材料１７０４の前縁及び後縁を越えて延びる第１の材料１７０２を含む。この用具は、この用具の両外側主面上に第３の材料１７０６を更に含む。清掃用具１７００は、本明細書で説明した縫い目又は任意の接合技術を使用して固定することができる。
【００７６】
一例によれば、表面を清掃するためのシステムが開示される。本システムは、清掃装置にできれば表裏両面使用可能に取り付けるように構成された用具（本明細書に図示及び記載された実施形態のうちのいずれか１つなど）を含むことができ、この用具は、少なくとも一部分が第１の材料によって形成された第１の作用面と、少なくとも一部分が第１の材料及び別の材料のいずれか一方によって形成された第２の作用面と、第１の作用面と第２の作用面との間に挟まれた吸着材とを有する。第１の材料は、その表面上又は体積全体に接着剤を有する目の粗い嵩高な構造を有することができる。第１の材料は、ゴミを収集するように構成することができ、また吸着材に結合するように構成することができる。別の材料を利用する場合には、別の材料は、シール層、カバーシート、スクリム、及び研磨剤のうちの１つ以上を含むことができる。別の材料は、第１の材料とは反対の表面上で吸着材と結合するように構成することができる。更なる実施形態によれば、本システムは複数の用具（本明細書に図示及び記載された実施形態のうちのいずれか１つ又は任意の組み合わせなど）を備えることができ、本システムの各用具は互いに異なる構成を有し得る一方で、少なくとも第１の材料、及び第１の作用面と第２の作用面との間に挟まれた吸着材を依然として有する。例えば、複数の用具のそれぞれについての第１の材料は、第１の作用面を形成する部分において異なるサイズ又は形状にすることができる。
【００７７】
以下の実施形態は、本開示の例証を意図するものであり、限定するものではない。
【００７８】
様々な注記及び実施形態
実施形態１は、清掃面とインターフェースするように構成された作用面を有することができる清掃用具であって、清掃用具の作用面の少なくとも一部分を含む表面上に接着剤を有する目の粗い嵩高な構造を有する第１の材料であって、ゴミを収集するように構成された、第１の材料と、第１の材料に結合された第２の材料であって、清掃面から液体を吸着するように構成された吸着剤構造を有する第２の材料と、を備えることができる。
【００７９】
実施形態２では、実施形態１の主題は、任意で、第１の材料が不織布層を構成することができ、この不織布層は、ウェブ構造を有する複数の繊維を含むことができ、接着剤は液体の存在下又は不在下で粘着性である物質を備え、接着剤は複数の繊維の１つ以上の表面上に存在する場合を含む。
【００８０】
実施形態３では、実施形態１、２のうちの１つ以上の主題は、任意で、第１の材料及び第２の材料のうちの少なくとも一方が、作用面を清掃面に適合させるために弾性的に圧縮可能である場合を含むことができる。
【００８１】
実施形態４では、実施形態３の主題は、任意で、第２の材料が作用面の第２の部分を形成し清掃面に接触することを可能にするように、第１の材料が弾性的に圧縮可能である場合を含むことができる。
【００８２】
実施形態５では、実施形態１〜４のうちのいずれか１つ以上の主題は、任意で、清掃用具が、細長い第１の縁及び細長い第２の縁を有し、第１の材料と第２の材料とは、細長い第１の縁及び細長い第２の縁の一方又は両方に沿って結合されている場合を含むことができる。
【００８３】
実施形態６では、実施形態１〜５のうちのいずれか１つ以上の主題は、任意で、第１の材料上の接着剤によって形成された接着剤ボンド、第２の接着剤によって形成された接着剤ボンド、超音波溶接及び伝熱ボンドのうちの少なくとも１つによって、第２の材料が第１の材料に結合されている場合を含むことができる。
【００８４】
実施形態７では、実施形態１〜６のうちのいずれか１つ以上の主題は、任意で、第２の材料が、第２の材料１グラム当たり約５グラムの流体の吸着から第２の材料１グラム当たり約５０グラムの流体の吸着の間の吸着能力を有する場合を含むことができる。
【００８５】
実施形態８では、実施形態１〜７のうちのいずれか１つ以上の主題は、任意で、第１の材料及び第２の材料が、第１の材料の表面が清掃面に配置されるように構成された状態かつ第２の材料が第１の材料によって清掃面から間隔を空けられた状態である重層化層を構成する場合を含むことができる。
【００８６】
実施形態９では、実施形態１〜８のうちのいずれか１つ以上の主題は、任意で、清掃用具の作用面が、第２の材料によって形成された第２の表面を含む場合を含むことができる。
【００８７】
実施形態１０では、実施形態９の主題は、任意で、清掃用具が細長い第１の縁及び細長い第２の縁を有し、第１の材料は、細長い第１の縁及び細長い第２の縁の一方又は両方において、かつ細長い第１の縁及び細長い第２の縁の一方又は両方に隣接して作用面を含むように、第２の材料に対して配置される場合を含むことができる。
【００８８】
実施形態１１では、実施形態９、１０のうちのいずれか１つ以上の主題は、任意で、清掃用具が細長い第１の縁及び細長い第２の縁を有し、第１の材料は、細長い第１の縁及び細長い第２の縁に対してある角度で配置された、間隔の空いた複数のストリップを構成する場合を含むことができる。
【００８９】
実施形態１２では、実施形態１〜１１のうちのいずれか１つ以上の主題は、任意で、第１の材料及び第２の材料の一方又は両方に結合された第３の材料を含むことができ、第３の材料は、シール層、カバーシート、スクリム及び研磨剤のうちの１つ以上を含む。
【００９０】
実施形態１３では、実施形態１〜１２のうちのいずれか１つ以上の主題は、任意で、第２の材料が、洗浄液を含浸し、作用面が清掃面と接触する際に洗浄液を放出するように構成されている場合を含むことができる。
【００９１】
実施形態１４は、清掃面とインターフェースするように構成された作用面を有することができる清掃用具であって、繊維ウェブの表面上に接着剤を有する、目の粗い嵩高な構造を有する繊維ウェブであって、この表面は清掃用具の作用面の少なくとも一部分を含み、繊維ウェブはゴミを収集するように構成された、繊維ウェブと、繊維ウェブに結合され、清掃面から液体を吸着するように構成された吸着材と、を備えることができる。
【００９２】
実施形態１５では、実施形態１４の主題は、任意で、繊維ウェブが不織布層を含み、接着剤は、液体の存在下又は不在下で粘着性である物質を備える場合を含むことができる。
【００９３】
実施形態１６では、実施形態１４、１５のうちのいずれか１つ以上の主題は、任意で、吸着材が作用面の第２の部分を形成し清掃面に接触することを可能にするように、吸着材及び繊維ウェブのうちの少なくとも一方が弾性的に圧縮可能である場合を含むことができる。
【００９４】
実施形態１７では、実施形態１４〜１６のうちのいずれか１つ以上の主題は、任意で、清掃用具が細長い第１の縁及び細長い第２の縁を有し、繊維ウェブと吸着材とは、清掃用具の細長い第１の縁及び細長い第２の縁の一方又は両方に沿って結合されている場合を含むことができる。
【００９５】
実施形態１８では、実施形態１４〜１７のうちのいずれか１つ以上の主題は、任意で、繊維ウェブ及び吸着材が、繊維ウェブの表面が清掃面に配置されるように構成された状態かつ吸着材が繊維ウェブによって清掃面から間隔を空けられた状態である重層化層を構成し、液体が繊維ウェブを通過する場合を含むことができる。
【００９６】
実施形態１９では、実施形態１４〜１８のうちのいずれか１つ以上の主題は、任意で、清掃用具の作用面が、吸着材によって形成された第２の表面を含む場合を含むことができる。
【００９７】
実施形態２０では、実施形態１４〜１９のうちのいずれか１つ以上の主題は、任意で、繊維ウェブ及び吸着材の一方又は両方に結合された第３の材料を含むことができ、第３の材料は、シール層、カバーシート、スクリム及び研磨剤のうちの１つ以上を含む。
【００９８】
実施形態２１では、実施形態１４〜１９のうちのいずれか１つ以上の主題は、任意で、繊維ウェブの第１の部分が、吸着材の細長い第１の縁を包み込み、繊維ウェブの第１の部分が作用面と作用面の反対側の面との両方に隣接するように、かつ繊維ウェブの第１の部分の折り畳まれた縁が吸着材の細長い第１の縁を越えて延びるようにし、繊維ウェブの第２の部分が、吸着材の細長い第２の縁を包み込み、繊維ウェブの第２の部分が作用面と作用面の反対側の面との両方に隣接するように、かつ繊維ウェブの第１の部分の折り畳まれた縁が吸着材の細長い第２の縁を越えて延びるようにする場合を含むことができる。
【００９９】
実施形態２２では、実施形態２１の主題は、繊維ウェブの第１の部分の折り畳まれた縁が、吸着材の細長い第１の縁を２５ｍｍの距離だけ越えて延びている構成を含むことができる。
【０１００】
実施形態２３では、実施形態１４の主題は、繊維ウェブの第１の部分が吸着材の細長い第１の縁に固定され、繊維ウェブの第１の部分が、細長い第１の縁に沿って吸着材に重なり、細長い第１の縁を越えて延びるようにし、繊維ウェブの第２の部分は吸着材の細長い第２の縁に固定され、繊維ウェブの第２の部分が、細長い第２の縁に沿って吸着材に重なり、細長い第２の縁を越えて延びるようにし、繊維ウェブの第１の部分は繊維ウェブの第２の部分から物理的に離れているように構成することができる。
【０１０１】
実施形態２４は、表面を清掃するためのシステムであって、このシステムは、清掃装置に表裏両面使用可能に取り付けるように構成された第１の用具を備えることができ、この用具は、少なくとも一部分が第１の材料によって形成された第１の作用面であって、第１の材料は第１の材料の表面に接着剤を有する目の粗い嵩高な構造を有する、第１の作用面と、少なくとも一部分が第１の材料又は別の材料のいずれか一方によって形成された第２の作用面と、第１の作用面と第２の作用面との間に挟まれ、第１の材料と結合するように構成された吸着材と、を備えることができる。
【０１０２】
実施形態２５では、実施形態２４の主題は、任意で、別の材料が、シール層、カバーシート、スクリム及び研磨剤のうちの１つ以上を含み、別の材料は、第１の材料とは反対の表面上で吸着材と結合するように構成されている場合を含むことができる。
【０１０３】
実施形態２６では、実施形態２４、２５のうちのいずれか１つ以上の主題は、任意で、複数の用具を含むことができ、各用具は互いに異なる構成を有する一方で、それぞれ、少なくとも第１の材料、及び第１の作用面と第２の作用面との間に挟まれた吸着材を依然として有する。
【０１０４】
これらの非限定的な実施形態の各々は自立することができるか、又は他の実施形態のうちの１つ以上との様々な順列又は組み合わせで組み合わせることができる。
【０１０５】
上記詳細な説明は、詳細な説明の一部を成す、添付の図面への参照を含む。図面は、本発明を実施することが可能な特定の実施形態を例として示す。これらの実施形態は本明細書において「実施例」とも呼ばれる。このような実施例は、図示又は記載されたもの以外の要素を含むことができる。しかし、本発明者らは、図示又は説明されているそれらの要素のみが提供された実施例も企図している。更に、本発明者らは、特定の実施例（若しくはその１つ以上の態様）に関して、又は本明細書において図示若しくは説明されている他の実施例（若しくはその１つ以上の態様）に関して、図示又は説明されているそれらの要素（若しくはその１つ以上の態様）の任意の組み合わせ又は順列を用いる実施例も企図している。
【０１０６】
本文書と、参照によりかく組み込まれている任意の文書との間に相反する使用法が生じた場合には、本文書における使用法が支配する。
【０１０７】
本文書において、用語「ａ」又は「ａｎ」は、特許文書において一般的であるように、任意の他の例、あるいは「少なくとも１つの（at least one）」又は「１つ以上の（one or more）」の使用と無関係に、１つ又は２つ以上を含むように用いられる。本文書において、用語「又は」は、非排他的な「又は」を指し、そのため、「Ａ又はＢ」は、別途指示のない限り、「Ａであるが、Ｂでない」、「Ｂであるが、Ａでない」、及び「Ａ及びＢ」を含む。本文書において、「含む（including）」及び「そこで（in which）」という用語は、対応する用語「備える／含む（comprising）」及び「そこで（wherein）」の平易な英語の同義語として使用される。また、添付の請求項において、用語「〜を含む（including）」及び「〜を備える（comprising）」はオープンエンドなものである。すなわち、請求項においてこのような用語の後に列挙された要素に加えて別の要素を含むシステム、装置、物品、組成物、調合物、又はプロセスは、依然として、その請求項の範囲内に含まれると見なされる。更に、添付の請求項において、「第１の（first）」、「第２の（second）」、及び「第３の（third）」などの用語は、単に標示として使用され、それらの対象に数値的要件を課すことを意図していない。
【０１０８】
上記の説明は例示であることが意図されており、限定であることを意図されていない。例えば、上述した実施例（又はそれらの１つ以上の態様）は、互いに組み合わせて用いることができる。当業者によって、上述の説明を検討するなどすることで、他の実施形態が用いられることも可能である。読者が技術的開示の本質を迅速に把握することを可能にするべく、米国特許法施行規則第１．７２条（ｂ）項に従うために要約書が提供されている。要約書は、請求項の範囲又は意味を解釈又は限定するために用いられることはないという了解の下で提示される。また、上述の発明を実施するための形態では、本開示を合理化するために様々な特徴が１つにまとめられている場合がある。これは、クレームされていない開示された特徴がいずれかの請求項に必須であることを意図するものと解釈されるべきではない。むしろ、本発明の主題は、特定の開示された実施形態の全ての特徴よりも少ない特徴に存し得る。それゆえ、添付の請求項は本明細書において実施例又は実施形態として発明を実施するための形態に組み込まれ、各請求項は別個の実施形態として自立し、係る諸実施形態は様々な組み合わせ又は順列で互いに組み合わせることができることが企図されている。本発明の範囲は、添付の請求項を、係る請求項が主張する権利がある均等物の全範囲と併せて参照して決定することができる。
【０１０９】
実験結果
抗力測定と抗力値
Ｍｏｄｅｌ  １００  Ｆｏｒｃｅ  Ｇａｕｇｅ（Ｃｈａｔｉｌｌｏｎ  Ａｍｅｔｅｋ  Ｃｏｍｐａｎｙ（Ｂｒｏｏｋｌｙｎ、Ｎ．Ｙ．）から入手可能）を標準的なＳｃｏｔｃｈＢｒｉｔｅ（商標）Ｈｉｇｈ  Ｐｅｒｆｏｒｍａｎｃｅ  Ｓｗｅｅｐｅｒモップ（３Ｍ  Ｃｏｍｐａｎｙ（Ｓｔ．Ｐａｕｌ、Ｍｉｎｎ．）から入手可能）に取り付けた。取付装置を用いてＭｏｄｅｌ  １００  Ｆｏｒｃｅ  Ｇａｕｇｅを３Ｍモップ及びハンドルに取り付けた。取付装置は、標準的機械ねじでモップハンドルを取り付けるように作製され、試験用床面に沿ってモップを押すのに必要な力を記録することができるように取り付けられた。試験用床面は、６０ｃｍ×２４３ｃｍのビニルフローリング材片であった。各試験の間に試験用床面を標準的な箒で清掃し、Ｄｏｏｄｄｌｅｄｕｓｔｅｒ（商標）布（３Ｍ  Ｃｏｍｐａｎｙ（Ｓｔ．Ｐａｕｌ、Ｍｉｎｎ．）から入手可能）で除塵した。１２．７ｃｍ×３５．６ｃｍの清掃用拭き取り布材の試料を切り取り、長さ１３．５インチ（３５ｃｍ）及び幅３．７５インチ（９．５ｃｍ）の試験用モップヘッドに取り付けた。その後、床に沿ってモップを押した。この目的のために、モップヘッドは、ハンドルがモップヘッドに対して旋回できるように構成されていた。押している間、モップヘッドの平面（ひいては試験用床面）に対するハンドルの角度は、８０°未満に維持した。モップを押すための最大の力（ポンド）をＣｈａｔｉｌｌｏｎ  Ｍｏｄｅｌ  １００  Ｆｏｒｃｅ  Ｇａｕｇｅに記録した。このようにして記録された最大の力は、清掃用拭き取り布試験試料の抗力値（Drag Value）として指定される。報告されたデータは、少なくとも２回の試験の平均である。
【０１１０】
吸油短時間試験
ＡＳＴＭ規格７２６−１２に従って、３Ｍ（商標）Ｈｉｇｈ  Ｃａｐａｃｉｔｙ  Ｓｏｒｂｅｎｔｓについて２０回の連続した試験を行った。試験は、ＳＡＥ  ３０  Ｍｏｔｏｒ  Ｏｉｌ（密度０．８８ｇ／ｃｍ３を有する）を用いて、水の存在なしに行った。各吸着剤試料は、乾燥質量５．３２〜６．４２グラムを有していた。吸着剤試料を１５分±２０秒間自由に浮遊させ、その後湿潤質量を計る前に３０秒±３秒間排水させた。２０個の試料についての吸着（湿潤質量／乾燥質量）から得られた平均質量比は４９．１であった。
【０１１１】
ＡＳＴＭ規格７２６−１２に従って、３Ｍ（商標）Ｍｅｄｉｕｍ  Ｃａｐａｃｉｔｙ  Ｓｏｒｂｅｎｔｓについて２０回の更なる連続した試験を行った。試験は、ＳＡＥ  ３０  Ｍｏｔｏｒ  Ｏｉｌ（密度０．８８ｇ／ｃｍ３を有する）を用いて、水の存在なしに行った。各吸着剤試料は、乾燥質量３．４７〜４．１６グラムを有していた。吸着剤試料を１５分±２０秒間自由に浮遊させ、その後湿潤質量を計る前に３０秒±３秒間排水させた。２０個の試料についての吸着（湿潤質量／乾燥質量）から得られた平均質量比は２１．９であった。
【実施例】
【０１１２】
湿式又は乾式清掃媒体試料を用意し、ゴミの拾得、吸収、耐摩耗性及び液体吸い上げの均一性について試験した。平坦なモップフックへ適切に取り付けることによって機能性が示された。これらの実施例は、単に例示を目的としたものに過ぎず、添付の特許請求の範囲の限定を意図したものではない。
【０１１３】
実施例のための試験方法：
乾燥ゴミの拾得
この試験には標準サイズ（１０ｃｍ×４１ｃｍ）のモップを使用した。試験前にモップを計量して試験前重量を得た。ゴミ混合物を用いて試験を実施し、この混合物は以下のとおりである。
Ｍｅｄｉｕｍ  Ｔｅｓｔ  Ｄｕｓｔ１ｇ（ＩＳＯ  １２１０３−１  Ａ３のＭｅｄｉｕｍ  Ｔｅｓｔ  ＤｕｓｔとしてＰｏｗｄｅｒ  Ｔｅｃｈｎｏｌｏｇｉｅｓ，Ｉｎｃ（Ａｒｄｅｎ  Ｈｉｌｌｓ、ＭＮ）から入手可能）、
３５０ミクロンの砂４ｇ（ＭＩＬ−ＳＴＤ−８１０Ｅ  Ｓｉｌｉｃａ  ＳａｎｄとしてＰｏｗｄｅｒ  Ｔｅｃｈｎｏｌｏｇｉｅｓ，Ｉｎｃ（Ａｒｄｅｎ  Ｈｉｌｌｓ、ＭＮ）から入手可能）、
粉砕された石英４ｇ（ＭＩＬ−ＡＶ−Ｅ−８５９３Ｆ  Ｃｒｕｓｈｅｄ  ＱｕａｒｔｚとしてＰｏｗｄｅｒ  Ｔｅｃｈｎｏｌｏｇｉｅｓ，Ｉｎｃ（Ａｒｄｅｎ  Ｈｉｌｌｓ、ＭＮ）から入手可能）。
【０１１４】
モップは、標準的な平坦なモップ（３Ｍ  ＥＡＳＹ  ＳＣＲＵＢ  ＦＬＡＴ  ＭＯＰとして３Ｍ  Ｃｏｍｐａｎｙ（Ｓｔ．Ｐａｕｌ、ＭＮ）から入手可能）に取り付けた。図１８に示すように、試験用コース１８００をビニル複合物タイル床に用意した。コースは、１フィート×３６フィート（０．３ｍ×１１ｍ）であり、６フィート（１．８ｍ）間隔で配置された１フィート領域１８０１、１８０２、１８０３、１８０４上にゴミ混合物の１／４がかかった状態であった。
【０１１５】
試験を実行するために、モップをコースの開始地点から終了地点まで押し、第３のゴミ堆積１８０３の前に位置する点１８１０でモップの前縁を逆転させた。コースの終了地点で、モップを慎重に取り外し、計量して試験後重量を得た。
【０１１６】
試験前重量を試験後重量から差し引いて、拾得したゴミの量を得た。試験を４回繰り返して、結果を平均した。各試験の後には、コースを清潔なダスタ（３Ｍ  ＥＡＳＹ  ＴＲＡＰ  ＤＵＳＴＥＲとして３Ｍ  Ｃｏｍｐａｎｙ（Ｓｔ．Ｐａｕｌ、ＭＮ）から入手可能）で４回清掃した。
【０１１７】
均一な液体分散
１００ミリリットルの水を５ミリリットルの青色染料（Ｅｓｓｅｎｔｉａｌ  Ｅｖｅｒｙｄａｙ  Ｂｌｕｅ  Ｆｏｏｄ  ＣｏｌｏｒｉｎｇとしてＳｕｐｅｒＶａｌｕ  Ｉｎｃ．（Ｅｄｅｎ  Ｐｒａｉｒｉｅ、ＭＮ）から入手可能）で染色した。床に３０ｃｍ×３０ｃｍの面積でこの水を注ぎ、この液体を通過してモップを「Ｓ」字形に引いた。結果として得られた水の痕跡を筋について分析した。筋は、重度、中程度、又は皆無として分析された。重度の評価については、筋が大きく、痕跡に大きな乾燥斑点が存在する。中程度の評価については、目に見える筋が存在するが、痕跡内に乾燥斑点がほとんどなく、ほぼ完全に湿潤している。皆無の評価については、湿潤が均一であり、痕跡内に乾燥斑点は存在しない。
【０１１８】
耐摩耗性
スクリム（Ｓ３５０２としてＦｉｔｅｓａ  Ｓｉｍｐｓｏｎｖｉｌｌｅ（ＳＣ）から入手可能）を吸着剤（ＭＡＩＮＴＥＮＡＮＣＥ  ＳＯＲＢＥＮＴ  ＰＡＤ  ＭＥＤＩＵＭ  ＣＡＰＡＣＩＴＹ  ＭＣＭとして３Ｍ  Ｃｏｍｐａｎｙ（Ｓｔ．Ｐａｕｌ、ＭＮ）から入手可能）に超音波接合させてから平坦なモップに取り付けた。１００ミリリットルの水を、１／４インチ（０．６４ｃｍ）のグラウトを有するセラミックタイル床にかけた。この水を通過してモップを引き、次いでタイル床上を「Ｓ」字形に引き、次いで上下に引き、次いで床の８フィート×１０フィート（２．４ｍ×３．０ｍ）の部分で繰り返した。次に、破れ、ピリング及びその他の欠陥についてモップを検査した。目に見えるいかなる欠陥も失敗であるとの結果とした。
【０１１９】
乾燥時間
周囲条件下でビニル複合物タイル面に１００ミリリットルの水をかけた。この水を通過して、４フィート×４フィート（１．２ｍ×１．２ｍ）の領域の全体にわたり「Ｓ」字運動でモップを引いた。その後、床上に残った水を観察し、それが乾燥するまで分単位で計時した。これらの試験を４回実施して平均を得た。
【０１２０】
吸収量
ＡＳＴＭ法Ｆ−７２６−１２を使用して吸収量を判定した。モップを計量して、その試験前重量を求めた。モップを１５分間水に浸してから水から取り出した。モップを３０秒間排水し、次いで重量を測定して試験後重量を得た。試験前重量を試験後重量から差し引いて吸収量を得た。
【０１２１】
機能吸収量
ビニル複合物タイル面に１００ミリリットルの水をかけた。この水を通過して、４フィート×４フィート（１．２ｍ×１．２ｍ）の領域の全体にわたり「Ｓ」字運動でモップを引いた。その後モップを計量して試験後重量を得た。試験前重量を試験後重量から差し引いて実際の吸収量を得た。これらの試験を４回実施して平均を得た。
【０１２２】
実施例の準備
１６インチ×４インチ（４１ｃｍ×１０ｃｍ）の吸着剤（ＭＡＩＮＴＥＮＡＮＣＥ  ＳＯＲＢＥＮＴ  ＰＡＤ  ＭＥＤＩＵＭ  ＣＡＰＡＣＩＴＹ  ＭＣＭとして３Ｍ  Ｃｏｍｐａｎｙ（Ｓｔ．Ｐａｕｌ、ＭＮ）から入手可能）片を切り取り、両面からスクリムを除去した。耐摩耗性Ｆｉｔｅｓａ  Ｓ３５０２（Ｓ５３０２としてＦｉｔｅｓａ  Ｓｉｍｐｓｏｎｖｉｌｌｅ（ＳＣ）から入手可能）スクリムを、吸着剤試料の両面に超音波接合させた。図１３及び図１４と一致する実施形態を、その後別の方法で調製した。
【０１２３】
図１３と一致する実施形態は、１．５インチ×１６インチ（３．８ｃｍ×４１ｃｍ）のダスタストリップ（３Ｍ  ＥＡＳＹ  ＴＲＡＰ  ＤＵＳＴＥＲとして３Ｍ  Ｃｏｍｐａｎｙ（Ｓｔ．Ｐａｕｌ、ＭＮ）から入手可能）をスクリムを用いて吸着剤の１つの長い縁に超音波接合することによって準備した。吸着剤にダスタを１／２インチ（１．３ｃｍ）重ねるようにした。上記で列挙した試験方法に従って、ゴミ拾得、均一な液体分散、耐摩耗性、乾燥時間、吸収量及び機能吸収量についてモップを試験した。結果を下の表１に示す。
【０１２４】
図１４と一致する実施形態は、３インチ×１６インチ（７．６ｃｍ×４１ｃｍ）のダスタストリップ（３Ｍ  ＥＡＳＹ  ＴＲＡＰ  ＤＵＳＴＥＲとして３Ｍ  Ｃｏｍｐａｎｙ（Ｓｔ．Ｐａｕｌ、ＭＮ）から入手可能）をスクリムを用いて吸着剤の両方の長い縁に超音波接合することによって準備した。これにより、モップの上から下までのＥＡＳＹ  ＴＲＡＰのループが形成された。上記で列挙した試験方法に従って、ゴミ拾得、均一な液体分散、耐摩耗性、乾燥時間、吸収量及び機能吸収量についてモップを試験した。結果を下の表１に示す。
【０１２５】
【表１】
2019514586.tif 000003
【図１】
2019514586.tif 000004
【図２】
2019514586.tif 000005
【図２Ａ】
2019514586.tif 000006
【図２Ｂ】
2019514586.tif 000007
【図３】
2019514586.tif 000008
【図３Ａ】
2019514586.tif 000009
【図４】
2019514586.tif 000010
【図５】
2019514586.tif 000011
【図６】
2019514586.tif 000012
【図７】
2019514586.tif 000013
【図８】
2019514586.tif 000014
【図９】
2019514586.tif 000015
【図１０】
2019514586.tif 000016
【図１１】
2019514586.tif 000017
【図１２】
2019514586.tif 000018
【図１３】
2019514586.tif 000019
【図１４】
2019514586.tif 000020
【図１５】
2019514586.tif 000021
【図１６】
2019514586.tif 000022
【図１７】
2019514586.tif 000023
【図１８】
2019514586.tif 000024
【国際調査報告】
2019514586.tif 000025
2019514586.tif 000026